(57)【要約】  情報を表示するための方法および装置。カメラ・システムは、オブジェクトの場所においてカメラ・システムの視点からオブジェクトのビデオ・データを生成する。情報は、オブジェクトについて識別される。情報は、任意の数の場所において表示システムにビデオ・データの画像で表示される。任意の数の場所におけるビデオ・データの画像による情報を有する画像の表示は、カメラ・システムの視点からである。
2014505627.tif 000002
【特許請求の範囲】
【請求項１】
カメラ・システムによって、オブジェクトの場所において前記カメラ・システムの視点から前記オブジェクトのビデオ・データを生成するステップと、
前記オブジェクトについて情報を識別するステップと、
任意の数の場所で任意の数の表示装置を有する表示システムに前記ビデオ・データの画像による情報を表示するステップであり、任意の数の場所における前記ビデオ・データの画像による情報を有する前記画像の表示が、前記カメラ・システムの視点からであるステップと
を含む、情報を表示するための方法。
【請求項２】
任意の数の場所で任意の数の人から、前記オブジェクトについて入力を受信するステップをさらに含む、請求項１に記載の方法。
【請求項３】
前記カメラ・システムが、前記オブジェクトの場所において人によって装着され、
前記人のプロファイルを用いて前記オブジェクトのところで前記人によって装着される前記表示装置に前記ビデオ・データの画像による前記情報を表示するステップをさらに含む、請求項１に記載の方法。
【請求項４】
前記カメラ・システムおよび前記表示装置が、ヘッドマウント・システムの一部である、請求項３に記載の方法。
【請求項５】
前記人について識別される前記プロファイルに適用されるポリシーに基づいて前記オブジェクトについて選択された情報を識別するステップと、
前記ヘッドマウント・システムの前記ビデオ・データの前記画像による前記選択された情報を表示するステップと
をさらに含む、請求項４に記載の方法。
【請求項６】
前記人の前記プロファイルが、前記人の言語、前記人の業務、および前記人のセキュリティ・レベルのうちの少なくとも１つを識別する、請求項５に記載の方法。
【請求項７】
前記ヘッドマウント・システムの前記ビデオ・データの前記画像による前記選択された情報を表示するステップが、
暗号化された情報を形成するように前記情報を暗号化するステップと、
前記人の一組のキーを選択するステップであり、一組のキーが、前記暗号化された情報の前記オブジェクトについて前記選択された情報を復号化するように構成されるステップと、
前記一組のキーを用いて前記ビデオ・データの前記画像による前記暗号化された情報の前記選択された情報を表示するステップと
を含む、請求項５に記載の方法。
【請求項８】
前記ビデオ・データの前記画像が、前記オブジェクトの部分に対してであり、
前記オブジェクトの前記部分の前記画像による前記情報を表示するステップに加えて、前記部分を含む前記オブジェクトのより大きな部分を表示するステップと、
前記より大きな部分にグラフィカル・インジケータを表示するステップであり、前記グラフィカル・インジケータが前記より大きな部分内に前記部分を識別するステップと
をさらに含む、請求項１に記載の方法。
【請求項９】
複数の画像の各画像が第１の数の部分を有し、前記情報が第２の数の部分を有し、前記表示するステップが、
前記カメラ・システムの任意の数の表示装置の表示装置を用いて各人のプロファイルを識別するステップと、
前記各人の識別された前記プロファイルを用いることによって前記各人の選択された情報を識別するステップと、
前記各人の前記識別されたプロファイルを用いて前記各人の複数の画像の前記各画像の選択された任意の数の部分を識別するステップと、
暗号化された情報を形成するように前記情報を暗号化するステップと、
暗号化された画像を形成するように前記画像を暗号化するステップと、
前記各人の一組のキーを選択するステップであり、前記一組のキーが、前記暗号化された情報内の前記選択された情報と、前記暗号化された画像の前記各画像の前記選択された任意の数の部分とを復号化するように構成されるステップと、
前記一組のキーを用いて前記各人の前記表示装置に前記画像の選択された前記任意の数の部分の前記選択された情報を表示するステップであり、前記暗号化された情報と前記暗号化された画像のうちの前記一組のキーを用いて暗号化されていない全ての部分が、前記表示装置に表示されないステップと
を含む、請求項１に記載の方法。
【請求項１０】
航空機の保守を行うための拡張現実感情報システムであって、
カメラ・システムおよび表示装置を有するヘッドマウント・システムであり、ある場所においてオブジェクトのビデオ・データを生成するように構成される前記ヘッドマウント・システムと、
任意の数の場所における任意の数の表示装置と、
前記ヘッドマウント・システムの前記カメラ・システムから前記オブジェクトの前記ビデオ・データを受信し、前記オブジェクトについて情報を識別し、前記ビデオ・データに前記情報を追加し、前記任意の数の表示装置のそれぞれを用いて人のプロファイルに基づいて前記任意の数の表示装置のそれぞれに対して選択された情報を識別し、かつ前記任意の数の表示装置に前記情報を有する前記ビデオ・データを送信するように構成される情報モジュールであり、
前記任意の数の表示装置上の前記ビデオ・データの表示が、前記任意の数の表示装置のそれぞれの前記画像による前記選択された情報を表示する情報モジュールと
を備える、拡張現実感情報システム。
【請求項１１】
情報モジュールが、暗号化された情報を形成するように前記情報を暗号化し、かつ前記任意の数の表示装置のそれぞれにおいて人の一組のキーを選択するように構成され、
前記一組のキーが、前記暗号化された情報の前記オブジェクトについて前記選択された情報を復号化するように構成され、前記ビデオ・データの前記画像による前記暗号化された情報の前記選択された情報の表示が、前記一組のキーを用いて行われる、請求項１０に記載の拡張現実感情報システム。
【請求項１２】
前記ビデオ・データの画像が、前記オブジェクトの部分に対してであり、前記任意の数の表示装置が、前記部分を含む前記オブジェクトのより大きな部分を表示し、かつ前記オブジェクトの前記部分の前記ビデオ・データの前記画像による前記情報を表示するように構成されることに加えて、より大きな部分にグラフィカル・インジケータを表示するように構成され、
前記グラフィカル・インジケータが、前記より大きな部分内の前記部分を識別する
請求項１０に記載の拡張現実感情報システム。
【請求項１３】
オブジェクトの場所においてカメラ・システムから前記オブジェクトのビデオ・データを受信し、前記オブジェクトについて情報を識別し、前記ビデオ・データに前記情報を追加し、任意の数の場所において表示システムに前記ビデオ・データに追加される前記情報を有する前記ビデオ・データを送信するように構成されるコンピュータ・システムを備え、
前記表示システム上の前記ビデオ・データの表示が、前記カメラ・システムの視点から前記ビデオ・データの前記画像による前記情報を表示する、装置。
【請求項１４】
前記カメラ・システムと、
前記ビデオ・データの前記画像による前記情報を表示するように構成される任意の数の表示装置を備える前記表示システムと
をさらに備える、請求項１３に記載の装置。
【請求項１５】
前記コンピュータ・システムが、前記任意の数の場所において任意の数の人から前記オブジェクトについて入力を受信するように構成される、請求項１３に記載の装置。
【請求項１６】
前記カメラ・システムが、前記オブジェクトの前記場所において人によって装着され、
前記オブジェクトのところで前記人によって装着され、かつ前記オブジェクトのところで前記人によって装着される前記表示装置に前記ビデオ・データの前記画像による前記情報を表示するように構成される表示装置を備える、請求項１４に記載の装置。
【請求項１７】
前記カメラ・システムおよび前記表示装置が、前記人のヘッドマウント・システム内にある、請求項１６に記載の装置。
【請求項１８】
前記コンピュータ・システムが、前記ヘッドマウント・システムを装着する前記人のプロファイルを識別し、かつ前記選択された情報が前記人の前記ヘッドマウント・システムの前記ビデオ・データの前記画像に表示されるようなポリシーに基づいて前記オブジェクトについて選択された情報を識別するように構成される、請求項１７に記載の装置。
【請求項１９】
前記選択された情報が前記人の前記ヘッドマウント・システムの前記ビデオ・データの前記画像に表示されるような前記ポリシーに基づいて前記オブジェクトについて前記選択された情報を識別するように構成される際に、前記コンピュータ・システムは、前記選択された情報が前記人の前記ヘッドマウント・システムの前記ビデオ・データの前記画像に表示されるように前記人の前記プロファイルを用いて、前記オブジェクトについて前記選択された情報を識別するように構成される、請求項１８に記載の装置。
【請求項２０】
前記人の前記プロファイルが、前記人の言語、前記人の業務、および前記人のセキュリティ・レベルのうちの少なくとも１つを識別する、請求項１８に記載の装置。
【請求項２１】
前記コンピュータ・システムが、暗号化された情報を形成するように前記情報を暗号化し、かつ前記人の一組のキーを選択するように構成され、
前記一組のキーが、前記暗号化された情報の前記オブジェクトについて前記選択された情報を復号化するように構成され、前記ビデオ・データの前記画像による前記暗号化された情報の前記選択された情報の表示が、前記一組のキーを用いて行われる、請求項１９に記載の装置。
【請求項２２】
前記ビデオ・データの前記画像が、前記オブジェクトの部分に対してであり、前記任意の数の表示装置が、前記オブジェクトの前記部分の前記ビデオ・データの前記画像による前記情報を表示するように構成されるのに加えて、前記部分を含む前記オブジェクトのより大きな部分を表示し、かつ前記より大きな部分にグラフィカル・インジケータを表示するように構成され、前記グラフィカル・インジケータが、前記より大きな部分内に前記部分を識別する、請求項１４に記載の装置。
【請求項２３】
オブジェクトのビデオ・データを生成するように構成されるカメラ・システムであり、前記ビデオ・データが複数の画像を含み、前記複数の画像の各画像が第１の数の部分を有するカメラ・システムと、
任意の数の表示装置を備える表示システムと、
前記オブジェクトの場所において前記カメラ・システムから前記オブジェクトの前記ビデオ・データを受信し、前記オブジェクトについて情報を識別し、前記ビデオ・データに前記情報を追加し、前記表示システムの前記任意の数の表示装置の表示装置を用いて前記各人の前記プロファイルを識別し、前記各人の識別された前記プロファイルを用いて前記各人の前記情報の選択された情報を識別し、前記各人の識別された前記プロファイルを用いて前記各人の前記ビデオ・データの前記複数の画像の前記各画像の選択された任意の数の部分を識別し、暗号化された情報を形成するように前記情報を暗号化し、暗号化された画像を形成するように前記画像を暗号化し、かつ前記各人の一組のキーを選択するように構成されるコンピュータ・システムであって、前記一組のキーが、前記暗号化された情報内の前記選択された情報と、前記暗号化された画像の前記各画像の前記選択された任意の数の部分とを復号化し、かつ前記暗号化された情報および前記暗号化された画像を表示システムに送信するように構成される前記コンピュータ・システムとを備え、
前記表示システムは、前記暗号化された情報と前記暗号化された画像のうちの前記一組のキーを用いて暗号化されていない全ての部分が前記各人の前記表示装置に表示されないように、前記各人の前記一組のキーを用いて前記各人の前記表示装置に前記各画像の前記選択された任意の数の部分の前記選択された情報を表示するように構成される装置。
【発明の詳細な説明】
【技術分野】
【０００１】
本開示は、一般に航空機、および特に航空機の保守に関する。さらにより詳細には、本開示は、航空機の保守の問題に関して異なる場所の人と人との連携を可能にするための方法および装置に関する。
【背景技術】
【０００２】
航空機の保守は、任意の数の異なる作業を含む場合がある。これらの作業は、たとえば、点検、改造、アップグレード、再加工、再構成、および／または航空機に対して他の作業を行うことを含むことができる。
【０００３】
航空機の保守では、航空機の異なる構成部品が、取り外されまたは取り付けられる場合がある。さらに、異なる構成部品は、航空機内で再加工され、または航空機から取り外されることがある。
【０００４】
航空機の保守は、規則正しく予定された基準により、または保守が必要とされ得る指示に応じて行われ得る。たとえば、保守は、スキン・パネルの不整合の検出に応じて航空機の胴体の複合スキン・パネルを再加工するように行われ得る。この不整合は、ある場合には、スキン・パネルの表面を再塗装することを必要とする場合がある。他の例では、保守は、不整合を低減しまたは除去するようにスキン・パネルの一部の再加工を必要とする場合がある。
【０００５】
さらに他の例では、保守は、航空機のさまざまなシステムに対して行われる場合がある。たとえば、航空機の構成部品を接続する電気システムは、所望のレベルの性能を実現するように保守を必要とすることがある。この保守は、電気システムまたは他のシステムのワイヤリング・ハーネスまたは他の構成部品を識別し交換することを含む場合がある。
【０００６】
保守が予定されていない時間に行われる場合、航空機は、人々および／または貨物を輸送する場合の使用に利用できない。さらに、航空機の予期せぬ保守により、飛行の遅延または飛行のキャンセルさえ生じる場合がある。航空機がこのタイプの保守のために地上にある場合、航空会社または航空機の他の持ち主のコストは高価である。
【０００７】
ある場合には、保守は、幾時間、幾日、または幾週も必要とする場合がある。結果として、航空会社は、サービスを提供する場合に減少した能力を有する場合があり、または、保守のために地上にある航空機に代わる効率が悪い航空機を使用する場合がある。ある場合には、航空会社は、利用できる追加の航空機を有することによってこれらのタイプの予期せぬ保守に備える場合がある。しかし、追加の航空機は、これらの航空機の購入および保守のコストの増大を招く。これらの状況のために余分の航空機を有すると、特定の飛行が遅延されかつ／またはキャンセルされ得る可能性を低減することができる。
【発明の概要】
【発明が解決しようとする課題】
【０００８】
したがって、上で議論した問題のうちの少なくともいくつか、ならびに起こり得る他の問題を考慮に入れた方法および装置を有することが有利であろう。
【課題を解決するための手段】
【０００９】
１つの有利な実施形態では、装置は、コンピュータ・システムを備えている。コンピュータ・システムは、オブジェクトの場所においてカメラ・システムからオブジェクトのビデオ・データを受信し、オブジェクトについて情報を識別するように構成される。コンピュータ・システムは、ビデオ・データに情報を追加し、かつ任意の数の場所において表示システムにビデオ・データに追加された情報を有するビデオ・データを送信するように構成される。表示システム上のビデオ・データの表示は、カメラ・システムの視点からビデオ・データの画像による情報を表示する。
【００１０】
他の有利な実施形態では、方法は、情報を表示するために存在する。カメラ・システムは、オブジェクトの場所においてカメラ・システムの視点からオブジェクトのビデオ・データを生成する。情報は、オブジェクトについて識別される。情報は、任意の数の場所において表示システム上のビデオ・データの画像で表示される。任意の数の場所におけるビデオ・データの画像による情報を有する画像の表示は、カメラ・システムの視点からである。
【００１１】
さらに他の有利な実施形態では、航空機の保守を行うための拡張現実感情報システムが、ヘッドマウント・システム、任意の数の表示装置、および情報モジュールを備えている。ヘッドマウント・システムは、カメラ・システムおよび表示装置を有する。ヘッドマウント・システムは、ある場所においてオブジェクトのビデオ・データを生成するように構成される。任意の数の表示装置は、任意の数の場所にある。情報モジュールは、ヘッドマウント・システムのカメラ・システムからオブジェクトのビデオ・データを受信し、かつオブジェクトについて情報を識別するように構成される。情報モジュールは、ビデオ・データに情報を追加するように構成される。情報モジュールは、任意の数の表示装置のそれぞれを用いて人のプロファイルに基づいて任意の数の表示装置のそれぞれに対して選択された情報を識別し、かつ任意の数の表示装置に情報を有するビデオ・データを送信するように構成される。任意の数の表示装置へのビデオ・データの表示は、任意の数の表示装置のそれぞれに画像による選択された情報を表示する。
【００１２】
特徴、機能、および利点は、本開示のさまざまな実施形態で独立して達成されることができ、あるいは、さらなる詳細が次の説明および図面を参照して理解できる、さらに他の実施形態において結合され得る。
【００１３】
有利な実施形態の特性と思われる新規な特徴が、添付の特許請求項の範囲に記載されている。しかし、有利な実施形態、ならびに使用の好ましい態様、さらなる目的、およびそれの利点は、添付の図面と共に読む場合に、本開示の有利な実施形態の次の詳細な説明を参照することによって最もよく理解されるであろう。
【図面の簡単な説明】
【００１４】
【図１】有利な実施形態に従って航空機の製造および保守方法の説明の図である。
【図２】有利な実施形態が実施され得る航空機の説明の図である。
【図３】有利な実施形態に従ってオブジェクト情報環境の説明の図である。
【図４】有利な実施形態に従って拡張現実感情報システムのデータ・フローの説明の図である。
【図５】有利な実施形態に従ってデータ処理システムの説明の図である。
【図６】有利な実施形態に従ってプロファイルの説明の図である。
【図７】有利な実施形態に従ってポリシーの説明の図である。
【図８】有利な実施形態に従ってオブジェクト情報環境の説明の図である。
【図９】有利な実施形態に従って情報を表示するためのプロセスのフローチャートの図である。
【図１０】有利な実施形態に従ってオブジェクトについて情報を識別するためのプロセスのフローチャートの図である。
【図１１】有利な実施形態に従って情報をビデオ・データの画像と関連させるためのプロセスのフローチャートの図である。
【図１２】有利な実施形態に従って情報を表示するためのプロセスのフローチャートの図である。
【図１３】有利な実施形態に従って画像による情報を表示するためのプロセスのフローチャートの図である。
【図１４】有利な実施形態に従って表示装置に情報を送信するためのプロセスのフローチャートの図である。
【図１５】有利な実施形態に従ってディスプレイに表示するための画像をフィルタリングするためのプロセスのフローチャートの説明の図である。
【発明を実施するための形態】
【００１５】
より詳細には図面を参照して、本開示の実施形態は、図１に示されるような航空機の製造および保守方法１００、ならびに図２に示されるような航空機２００という面において説明することができる。まず図１に移って、航空機の製造および保守方法の説明は、有利な実施形態に従って示される。生産開始前に、航空機の製造および保守方法１００は、図２の航空機２００の仕様および設計１０２と、資材調達１０４とを含むことができる。
【００１６】
生産中に、構成要素およびサブアセンブリ製造１０６、ならびに図２の航空機２００のシステム・インテグレーション１０８が行われる。その後は、航空機２００は、サービス１１２に置かれるために認証および配信１１０を経ることができる。顧客によるサービス１１２中の間に、図２の航空機２００は、定期整備及び保守１１４が予定されており、これは、改造、再構成、修復、および他の整備または保守を含むことができる。
【００１７】
航空機の製造および保守方法１００のプロセスのそれぞれは、システム・インテグレータ、第３者、および／またはオペレータによって行われまたは実行され得る。これらの例では、オペレータは顧客であり得る。この説明の目的のため、システム・インテグレータは、制限されることなく、任意の数の航空機メーカ、および主要なシステム下請け会社を含むことができ、第３者は、制限されることなく、任意の数のベンダー、下請け会社、納入業者を含むことができ、オペレータは、航空会社、リース会社、軍事エンティティ、またはサービス機構であり得る。
【００１８】
次に図２を参照して、有利な実施形態が実施され得る航空機の説明が示されている。この例では、航空機２００は、図１の航空機の製造および保守方法１００によって製造され、複数のシステム２０４を有する機体２０２および内部２０６を含むことができる。システム２０４の例は、推進システム２０８、電気システム２１０、油圧システム２１２、および環境システム２１４のうちの１つまたは複数を含む。任意の数の他のシステムが含まれてもよい。航空宇宙の例が示されているが、異なる有利な実施形態が、自動車産業などの他の産業に適用され得る。
【００１９】
本明細書において具体化される装置および方法は、図１の航空機の製造および保守方法１００の段階のうちの少なくとも１つの間に使用され得る。本明細書において用いられるように、項目の一覧表と共に用いられる場合には、フレーズ「のうちの少なくとも１つ」は、一覧表示された項目のうちの１つまたは複数の異なる組合せを使用することができ、一覧表の各項目の１つだけを必要とすることができることを意味する。たとえば、「項目Ａ、項目Ｂ、項目Ｃのうちの少なくとも１つ」は、たとえば、制限されることなく、項目Ａまたは項目Ａおよび項目Ｂを含むことができる。また、この例は、項目Ａ、項目Ｂ、および項目Ｃまたは項目Ｂおよび項目Ｃを含むこともできる。
【００２０】
１つの説明の例では、図１の構成要素およびサブアセンブリ製造１０６において製造される構成要素またはサブアセンブリは、航空機２００が図１のサービス１１２中にある間に製造される構成要素またはサブアセンブリに類似する方法で製作されまたは製造され得る。さらに他の例のように、任意の数の装置の実施形態、方法の実施形態、またはこれらの組合せが、図１の構成要素およびサブアセンブリ製造１０６およびシステム・インテグレーション１０８などの製造段階中に使用され得る。項目を参照する場合、数字は、１つまたは複数の項目を意味する。たとえば、任意の数の装置の実施形態は、１つまたは複数の装置の実施形態である。任意の数の装置の実施形態、方法の実施形態、またはこれらの組合せは、航空機２００が図１のサービス１１２中、ならびに／または整備及び保守１１４中である間に使用され得る。任意の数の異なる有利な実施形態の使用は、航空機２００の組立てを実質的に促進し、かつ／または航空機２００のコストを低減することができる。
【００２１】
異なる有利な実施形態は、任意の数の異なる考慮すべき事柄を認識し、考慮に入れる。たとえば、異なる有利な実施形態は、航空機が保守のために地上にある場合に保守に利用できる要員が限定され得ることを認識し、考慮に入れる。
【００２２】
たとえば、異なる要員は、異なる航空機に対して異なるレベルの技能および経験を有する場合がある。航空機が不整合のある複合スキン・パネルを有する場合、航空機に割り当てられた保守員は、そのタイプの人材に求められるのと同じくらいに経験を積んでいない場合がある。結果として、保守員は、航空機のスキン・パネルから不整合を低減しまたは除去するように不整合を点検し、適切な作業を識別することなどの、特定の保全業務を行うための研究を行うことができる。複合材料から製造されるスキン・パネルに関しては、層の配向、以前の再加工、および他の要因が、不整合を有するスキン・パネルに対して保守を行う方法に影響を及ぼす場合がある。
【００２３】
ある場合には、保守員は、実施すべき適切な作業を確認するように他の保守員または専門家との会合を設定することができる。異なる有利な実施形態は、このプロセスは時間がかかり、航空機の費用を増大させるということを認識し、考慮に入れる。費用は、航空機の使用不能によって増大される。
【００２４】
したがって、異なる有利な実施形態は、オブジェクトについて情報を得るための方法および装置を提供する。これらの説明の例では、異なる有利な実施形態は、特に、航空機について情報を得るのに、より詳細には航空機に保守作業を行うための情報を得るのに有用であり得る。
【００２５】
１つの有利な実施形態では、カメラ・システムは、オブジェクトの場所においてカメラ・システムの視点からオブジェクトのビデオ・データを生成する。オブジェクトについての情報が識別される。この情報は、任意の数の場所において表示システムにビデオ・データの画像で表示される。任意の数の場所における画像による情報を有する画像の表示は、カメラ・システムの視点からである。
【００２６】
このタイプのディスプレイの場合、異なる場所における異なる要員は、そのオブジェクトについてより多くの情報を提供するようにオブジェクトの場所における人と連携することができる。
【００２７】
たとえば、オブジェクトが航空機である場合、ビデオ・データの画像は、不整合が存在する航空機の一部であり得る。異なる場所における人は、専門家であり、または航空機の特定のタイプの不整合について知識を有する場合がある。これらの人は、必要とされ得る保守作業を確認するように航空機のところの保守員に入力を提供することができる。
【００２８】
次に図３を参照して、オブジェクト情報環境の説明は、有利な実施形態に従って示されている。オブジェクト情報環境３００は、図１の航空機の製造および保守方法１００のさまざまな部分の間に使用され得る。たとえば、オブジェクト情報環境３００は、構成要素およびサブアセンブリ製造１０６ならびに図２の航空機２００のシステム・インテグレーション１０８中に組み立てられている構成要素およびサブアセンブリについて情報を得るのに使用され得る。さらに、オブジェクト情報環境３００はまた、航空機の製造および保守方法１００の他の部分に加えて、さまざまな保守作業を行うように整備及び保守１１４中に使用され得る。
【００２９】
これらの説明の例では、オブジェクト情報環境３００の情報システム３０２は、オブジェクト３０６について情報３０４を提供する。これらの説明の例では、オブジェクト３０６は、図２の航空機２００の形をとることができる。
【００３０】
情報３０４は、任意の数の作業３０８を行うのに使用され得る。これらの説明の例では、任意の数の作業３０８は、保守作業３１０、設計作業３１２、訓練作業３１４、およびオブジェクト３０６に関して他の適切なタイプの作業のうちの少なくとも１つを含むことができる。保守作業３１０は、たとえば、制限されることなく、点検、構成要素の再加工、再構成、アップグレード、およびオブジェクト３０６の保守中に行われ得る他の適切なタイプの作業などの作業を含むことができる。
【００３１】
設計作業３１２は、オブジェクト３０６で使用するための構成要素を設計することを含み得る。これらのオブジェクトは、新しい構成要素、またはオブジェクト３０６内の構成要素のための置換構成要素であり得る。訓練作業３１４は、オブジェクト３０６に保守を行うことを含むオブジェクト３０６に異なる作業を行う訓練要員、オペレーティング・オブジェクト３０６、および他のタイプの作業を含むことができる。
【００３２】
これらの説明の例では、情報システム３０２は、航空機３１８の形のオブジェクト３０６に保守作業３１０を行うために拡張現実感情報システム３１６の形をとることができる。これらの例では、航空機３１８は、図２の航空機２００を用いて実施され得る。
【００３３】
これらの説明の例では、拡張現実感情報システム３１６は、オブジェクト３０６のビデオ・データ３２４の画像３２２によってオブジェクト３０６についての情報３２０を表示するように構成される。これらの説明の例では、拡張現実感情報システム３１６は、オブジェクト３０６などの、オブジェクトのビューがコンピュータ生成情報によって増大される物理的な現実世界環境のライブ・ビューまたはダイレクト・ビューを生成する。この例では、画像３２２は、情報３０４で増大される。情報３０４は、任意の数の異なる形態をとることができる。たとえば、情報３０４は、テキスト、グラフィックス、または画像３２２に配置され得る他の情報であり得る。
【００３４】
この説明の例では、拡張現実感情報システム３１６は、情報モジュール３２６、カメラ・システム３２８、表示システム３３０、および他の適切な構成要素を備える。カメラ・システム３２８は、オブジェクト３０６のビデオ・データ３２４を生成するように構成される。これらの説明の例では、オブジェクト３０６は、場所３３２のところに配置される。ビデオ・データ３２４の画像３２２は、カメラ・システム３２８の視点３３４から生成される。
【００３５】
これらの説明の例では、カメラ・システム３２８は、画像３２２を含むビデオ・ストリーム３３５の形のビデオ・データ３２４を生成するように構成される。画像３２２は、オブジェクト３０６のビデオを提供するように表示システム３３０に表示され得る。これらの説明の例では、ビデオ・データ３２４は、後で見るためにビデオ・データ３２４を格納するのではなくて、ビデオ・データ３２４が生成されると表示システム３３０に送信される。しかし、ある説明の例では、ビデオ・データ３２４は、表示システム３３０に送信されているのに加えて、ビデオ・データ３２４が生成されると記憶装置に格納され得る。さらに他の説明の例では、ビデオ・データ３２４は、ビデオ・データ３２４が生成され、次いで後で見るために表示システム３３０のところに取り出されると、記憶装置に格納され得る。
【００３６】
これらの説明の例では、情報モジュール３２６は、ハードウェア、ソフトウェア、またはこの２つの組合せで実施され得る。情報モジュール３２６は、コンピュータ・システム３３６に配置されることができ、または示された例では別個の構成要素であり得る。コンピュータ・システム３３６は、任意の数のコンピュータ３３８を備える。任意の数のコンピュータ３３８は、これらの説明の例では、互いに通信している。任意の数のコンピュータ３３８は、特定の実施に応じて、同じ場所にあることができまたは異なる場所にあることができる。
【００３７】
示された例では、カメラ・システム３２８および表示装置３４０は、オブジェクト３０６の場所３３２において人３４２によって装着される。異なる説明の例では、表示装置３４０のカメラ・システム３２８は、ヘッドマウント・システム３４４の形をとることができる。
【００３８】
１つの例では、ヘッドマウント・システム３４４は、人３４２によって装着される眼鏡３４６になっている。この実施では、視点３３４は、オブジェクト３０６の場所３３２において眼鏡３４６を装着する人３４２の視点からである。
【００３９】
他の説明の例では、カメラ・システム３２８および表示装置３４０は、別個の構成要素であり得る。たとえば、カメラ・システム３２８は、人３４２によって装着されるジャケットまたはユニフォームと関連することができ、表示システム３３０は、眼鏡３４６に入っていることができる。さらに他の説明の例では、表示装置３４０は、特定の実施に応じて、ハンドヘルド装置であり得る。さらに他の説明の例では、カメラ・システム３２８および表示装置３４０は、たとえば、制限されることなく、ロボットによって操作され得る。
【００４０】
これらの説明の例では、情報モジュール３２６は、オブジェクトのデータベース３４８から情報３２０を識別する。情報３２０は、任意の数の異なる形態をとることができる。たとえば、情報３２０は、たとえば、制限されることなく、材料の識別、寸法、オブジェクト３０６の部分に実施されるべき作業、およびオブジェクト３０６についての他の適切な情報であり得る。これらの説明の例では、画像３２２に表示する情報３２０の識別は、オブジェクト３０６を識別するユーザ入力、オブジェクト３０６の一部を識別するユーザ入力、オブジェクト認識プロセス、および／または他の適切なタイプの識別によって行われ得る。
【００４１】
これらの説明の例では、表示システム３３０は、任意の数の場所３５２において任意の数の表示装置３５０を含むことができる。図示されていないが、表示システム３３０はまた、ビデオ・データ３２４を表示するのに必要とされる他の構成要素を含むことができる。たとえば、表示システム３３０はまた、グラフィックス・アダプタ、プロセッサ・ユニット、コンピュータ、および／または他の適切な構成要素を含むことができる。ある場合には、表示システム３３０は、単に任意の数の表示装置３５０を含む場合がある。
【００４２】
任意の数の場所３５２は、場所３３２より他の場所であることができ、場所３３２を含む場合もある。これらの説明の例では、任意の数の人３５４は、任意の数の場所３５２および表示装置３５０のビュー番号に配置され得る。情報３２０は、画像３２２およびビデオ・データ３２４に追加され得る。次いで、画像３２２に追加された情報３２０を有するビデオ・データ３２４は、表示のために任意の数の表示装置３５０に送信され得る。
【００４３】
ヘッドマウント・システム３４４の表示装置３４０上の画像３２２による情報３２０の表示に関しては、ヘッドマウント・システム３４４は、直接に画像３２２に情報３２０を追加するように構成されるプロセッサを含むことができる。換言すれば、情報３２０は、情報モジュール３２６から受信され得る。ビデオ・データ３２４は、カメラ・システム３２８から受信される。
【００４４】
ヘッドマウント・システム３４４は、カメラ・システム３２８から受信されたビデオ・データ３２４から画像３２２に情報３２０を追加する。他の説明の例では、ヘッドマウント・システム３４４は、任意の数の表示装置３５０の場合と同じ方法で情報モジュール３２６によって画像３２２に追加された情報３２０を有するビデオ・データ３２４を受信することができる。
【００４５】
このようにして、任意の数の人３５４は、オブジェクト３０６についての入力３５６を提供することができる。入力３５６は、たとえば、オブジェクト３０６で実施されるべき操作、カメラ・システム３２８によって見られるオブジェクト３０６の一部を移動しまたは変更すべき人３４２への命令、オブジェクト３０６に関する質問、および／または他の適切なタイプの入力を含むことができる。入力３５６の人３４２への命令は、テキスト、音声の形態、および／または他の適切な形態の命令の形をとることができる。
【００４６】
さらに、ヘッドマウント・システム３４４はまた、ビデオ・データ３２４を有するオーディオ３６２を含むことができる。オーディオ３６２は、人３４２の音声であり得る。このようにして、人３４２によるオーディオ３６２、および任意の数の人３５４からの入力３５６の音声の場合、人３４２がオブジェクト３０６のところに配置されながら議論が行われ得る。結果として、人３４２と任意の数の人３５４との間の連携が、人３４２が場所３３２を離れることなく行われ得る。
【００４７】
また、人３４２は、任意の数の人３５４の指揮の下で任意の数の操作３０８を行うことができる。任意の数の人３５４は、人３４２が任意の数の操作３０８を行いながら、画像３２２による情報３２０を有するビデオ・データ３２４を見ることによって任意の数の操作３０８に対して指揮を与えることができる。
【００４８】
このようにして、任意の数の操作３０８は、現在のシステムに比べて、拡張現実感情報システム３１６を用いてより迅速にオブジェクト３０６に対して実施され得る。オブジェクト３０６の場所３３２において人３４２によって見られるように、任意の数の人３５４がオブジェクト３０６を見ることができるようにすることによって、入力３５６を、現在のプロセスの場合よりもより迅速に得ることができる。たとえば、人３４２は、オブジェクト３０６に関しては研究を行うには及ばない場合がある。その代わりとして、情報モジュール３２６は、オブジェクト３０６の情報３２０を識別し、人３４２がオブジェクト３０６を見ながらビデオ・データ３２４の画像３２２による情報３２０を表示することができる。
【００４９】
他の例では、画像３２２による情報３２０を有するビデオ・データ３２４を送信することによって、任意の数の人３５４は、入力３５６をより迅速に提供することができる。入力３５６は、たとえば、人３４２が会合に出席するのにオブジェクト３０６を離れることなく提供され得る。
【００５０】
さらに他の説明の例では、画像３２２による情報３２０を有するビデオ・データ３２４は、記憶装置３５８に格納され得る。さらに、入力３５６はまた、教材３６０を形成するように記憶装置３５８に格納され得る。教材３６０は、議論されていることができる任意の数の操作３０８について知識を身につけるようにやがてはもっと後の時点で他の人によって見られ得る。
【００５１】
図３のオブジェクト情報環境３００の説明は、異なる有利な実施形態が実施され得る方法に対して物理的または構造的な制限を暗示することが意図されるものではない。説明された構成要素に加えて、および／またはそれの代わりに他の構成要素を使用することができる。ある構成要素は、ある有利な実施形態には不必要であり得る。また、ブロックは、ある機能的構成要素を説明するように示されている。異なる有利な実施形態で実施される場合、これらのブロックのうちの１つまたは複数が、組み合わされ、かつ／または異なるブロックに分割され得る。
【００５２】
たとえば、ある説明の例では、任意の数の表示装置３５０は存在しない場合がある。他の説明の例では、コンピュータ・システム３３６は、オブジェクト３０６について入力３５６を提供するように構成されるプロセスを含むことができる。他の例のように、ある説明の例では、コンピュータ・システム３３６は、パターン認識プロセスを含むように構成され得る。これらのパターン認識プロセスは、たとえば、構成要素または画像の部分の識別を可能にすることができる。これらの部分または構成要素の認識に基づき、実施すべきその手続きに関して提案が行われ得る。
【００５３】
また、情報３２０は、画像３２２に表示される情報より他の形態をとることができる。たとえば、制限されることなく、情報３２０は、オーディオを含むことができる。オーディオは、画像３２２が表示されると与えられ得る音響または音声であり得る。
【００５４】
他の説明の例のように、表示装置３４０および任意の数の表示装置３５０などの表示装置は、画像３２２が与えられる表示画面の形態をとることができるが、これらの表示装置はまた、他の形態をとることもできる。たとえば、また、仮想網膜ディスプレイを使用することもできる。仮想網膜ディスプレイの場合、表示装置は、画像を見る人の眼の網膜に直接にラスタ表示を投影しかつ／または描く。
【００５５】
ある説明の例では、拡張現実感情報システム３１６は、カメラ・システム３２８に加えて、またはそれの代わりにビデオ・データ３２４を生成するように構成される任意の数の他の装置を含むことができる。たとえば、拡張現実感情報システム３１６は、超音波撮像装置、赤外線撮像装置、無線周波装置、ならびに／または、画像３２２および／もしくは画像３２２を形成するのに使用され得るデータを生成するように構成されるある他の適切なタイプの装置のうちの少なくとも１つを含むことができる。
【００５６】
次に図４を参照して、拡張現実感情報システムのデータ・フローの説明が、有利な実施形態に従って示されている。この説明の例では、拡張現実感情報システム４００は、図３の拡張現実感情報システム３１６についての１つの実施の例である。
【００５７】
この説明の例では、拡張現実感情報システム４００は、コンピュータ・システム４０４の情報モジュール４０２、ヘッドマウント・システム４０６、および任意の数の表示装置４０８を含む。ヘッドマウント・システム４０６は、場所４１２において人４１０によって装着されるように構成されるハードウェアである。これらの例では、航空機４１４は、場所４１２に配置される。任意の数の表示装置４０８は、任意の数の場所４１６に配置される。任意の数の場所４１６における任意の数の人４１８は、任意の数の表示装置４０８を使用することができる。
【００５８】
これらの説明の例では、ヘッドマウント・システム４０６は、航空機４１４のビデオ・データ４２０を生成する。ビデオ・データ４２０は、人４１０の視点４２４からの画像４２２を含む。これらの説明の例では、ビデオ・データ４２０は、情報モジュール４０２に送信される。この情報は、通信リンク４２６を通して送信され得る。通信リンク４２６は、特定の実施に応じて有線および／または無線通信リンクである。
【００５９】
情報モジュール４０２は、画像４２２による表示のための情報４２８を識別する。情報４２８これらの説明の例では航空機データベース４３０を用いて識別される。
【００６０】
さらに、情報４２８は、人４１０および任意の数の人４１８について同じであり得る。他の説明の例では、情報４２８は、人４１０および任意の数の人４１８について異なる場合がある。人４１０の情報４２８の識別は、選択された情報４３２の形をとることができる。さらに、情報４２８の選択された情報４３２はまた、任意の数の人４１８について識別され得る。ある場合には、選択された情報４３２は、情報４２８と同じである場合があり、または航空機４１４の情報の部分集合であり得る。
【００６１】
これらの説明の例では、情報モジュール４０２は、人４１０および任意の数の人４１８について選択された情報４３２を識別するようにプロファイル・データベース４３４を使用することができる。これらの例では、プロファイル・データベース４３４は、任意の数のプロファイル４３６を含む。この任意の数のプロファイルは、特定の人について選択された情報４３２を識別するように情報モジュール４０２によって使用され得る。
【００６２】
任意の数のプロファイル４３６の各プロファイルは、人４１０および任意の数の人４１８のうちの１人に対応する。たとえば、この例では、プロファイル４３８が人４１０に対応する。プロファイル４３８は、情報４２８からの選択された情報４３２に含まれるべきであるその情報の識別を可能にする。結果として、選択された情報４３２は、人４１０および任意の数の人４１８のそれぞれに基づいて整えられまたは特定的に選択され得る。
【００６３】
さらに、ポリシー４５０が、情報４２８からの選択された情報４３２を識別するように人４１０のプロファイル４３８に適用され得る。ポリシー４５０は、たとえば、制限されることなく、任意の数の規則、指針、および／または情報４２８のどの部分が人４１０について選択された情報４３２を形成するのに使用され得るかを選択するための基準であり得る。
【００６４】
ある説明の例では、選択された情報４３２だけが、任意の数の表示装置４０８のヘッドマウント・システム４０６に送信される。このようにして、すべてとは言えない情報４２８が、各表示装置に送信され得る。
【００６５】
他の説明の例では、情報４２８のすべてが、ヘッドマウント・システム４０６および任意の数の表示装置４０８に送信され得る。たとえば、情報４２８のすべては、ヘッドマウント・システム４０６に送信されることができ、ヘッドマウント・システム４０６は、プロファイル４３８およびポリシー４５０に基づいて人４１０に対する表示のために情報４２８からの選択された情報４３２を識別することができる。
【００６６】
この示された例では、情報４２８の選択された情報４３２だけが、ヘッドマウント・システム４０６および任意の数の表示装置４０８に表示される。たとえば、情報４２８は、暗号化された情報４４０を形成するように暗号化され得る。１つの例では、一組のキー４４２が、人４１０のプロファイル４３８を用いて人４１０について選択される。一組のキー４４２は、プロファイル４３８に基づいて人４１０について選択された情報４３２を復号化するように構成される。換言すれば、一組のキー４４２の１つのキーは、人４１０がヘッドマウント・システム４０６で見るべき情報４２８について含まれる。暗号化された情報４４０の復号化されていない情報は、ヘッドマウント・システム４０６上で人４１０に表示されない。
【００６７】
これらの示された例では、一組のキー４４２は、キーなしの空の集合または空集合、あるいは１つまたは複数のキーであり得る。換言すれば、ある場合には、一組のキー４４２は、いかなる情報も暗号化された情報４４０に表示されるべきでない空集合であり得る。
【００６８】
他の例では、画像４２２の各画像は、第１の数の部分４４４を有し、情報４２８は、第２の数の部分４４６を有する。これらの説明の例では、第１の数の部分４４４の部分は、画像内の領域である。
【００６９】
この領域は、任意の数の異なる方法で規定され得る。たとえば、領域は、特定の実施に応じて、画像の特定の構成要素のための領域として規定されることができ、またはユーザ定義である場合がある。たとえば、構成要素は、１人または複数の人に表示されるに及ばない画像内にあるアンテナであり得る。
【００７０】
情報４２８の第２の数の部分４４６内の情報４２８の部分は、いくつかの異なる形態をとることができる。たとえば、ある場合には、部分は、配線システムについての図情報もしくは他のタイプの情報、スキン・パネルの場所、スキン・パネルのプライの配向のプライの横断面、および／または他の適切なタイプの情報であり得る。
【００７１】
この示された例では、一組のキーは、任意の数の人４１８の各人に対して識別される。一組のキーは、暗号化された情報の選択された情報と、暗号化された情報４４０の各画像の選択された任意の数の部分とを復号化するように構成される。また、画像４２２は、暗号化された情報４４０の暗号化された画像４４８を形成するように暗号化され得る。
【００７２】
結果として、任意の数の人４１８の各人について任意の数の表示装置４０８の各表示装置上の任意の数の画像の選択された部分の選択された情報の表示は、表示装置のところのその人に対応する一組のキーを用いて行われる。結果として、暗号化された情報４４０と暗号化された画像４４８のうちの一組のキーを用いて暗号化されていない全ての部分が、表示装置を用いて特定の人に対して表示装置で表示されない。
【００７３】
このようにして、情報は、人のプロファイルに基づいて各人に識別され得る。このようにして、各人が必要としまたは見ることができる情報が、人によって使用される表示装置のところでその特定の人に表示される。結果として、人は、必要とされない、かつ／または人が見ることができない情報を見ることができない。
【００７４】
そのうえ、これらの説明の例では、情報モジュール４０２は、画像の選択された部分４５４を形成するように画像４２２をフィルタリングするようにフィルタリング・プロセス４５２を用いる。たとえば、制限されることなく、フィルタリング・プロセス４５２は、航空機４１４で現在行われている任意の数の操作に関連性のある画像４２２の部分のみを識別するように画像４２２をフィルタリングすることができる。
【００７５】
１つの説明の例のように、人４１０が不整合を有するスキン・パネルに操作を行っている場合には、フィルタリング・プロセス４５２は、スキン・パネルの周りの他の部分を含む画像４２２の部分を徹底的にフィルタリングすることができる。画像の選択された部分４５４は、スキン・パネルの関連性のある部分だけが表示されるように任意の数の表示装置４０８に表示される。たとえば、アンテナ、ドア、窓、または航空機の他の部分は、任意の数の表示装置４０８に表示されない場合がある。
【００７６】
さらに他の例では、画像４２２は、地上設備、要員、および／または人４１０によって航空機４１４で行われている任意の数の作業に関連性のない他のオブジェクトを含むことができる。フィルタリング・プロセス４５２は、航空機４１４で行われている任意の数の作業に関連性のある航空機４１４の部分だけが任意の数の人４１８に対し任意の数の表示装置４０８に表示されるようにこれらのオブジェクトを徹底的にフィルタリングすることができる。
【００７７】
ある説明の例では、情報モジュール４０２は、ヘッドマウント・システム４０６のところで表示される画像４２２にグラフィカル・インジケータを表示し、または画像４２２の部分が人４１０のプロファイル４３８に基づいて表示される方法を変更するように構成され得る。１つの説明の例のように、グラフィカル・ボックスなどのグラフィカル・インジケータは、人４１０が見るように認可されていない画像４２２の部分を通して表示され得る。他の説明の例のように、人４１０が見るように認可されていない画像４２２の部分は、陰にされ、遮られ、暗くされ、削除され、または、人４１０がこれらの部分を受け取りかつ／または見ることができないようにある他の適切な方法で変更され得る。
【００７８】
図４の拡張現実感情報システム４００の説明は、異なる有利な実施形態が実施され得る方法に対して物理的または構造的な制限を暗示することが意図されるものではない。拡張現実感情報システム４００は、１つの例示的な実施形態として与えられる。
【００７９】
たとえば、拡張現実感情報システム４００のオブジェクトは、航空機４１４に向かって方向付けられる。他の説明の例では、拡張現実感情報システム４００は、他のタイプのオブジェクトで使用され得る。たとえば、オブジェクトは、移動プラットフォーム、静止プラットフォーム、地上設置型構造物、水上設置型構造物、空間設置型構造物、航空機、水上船舶、タンク、人員運搬車、列車、宇宙船、宇宙ステーション、人工衛星、潜水艦、自動車、発電プラント、橋、ダム、製造設備、建築物、エンジン、翼、ならびにそれらの要素および構成要素のうちの１つから選択され得る。
【００８０】
次に図５に移って、データ処理システムの説明が、有利な実施形態に従って示されている。図５のデータ処理システム５００は、異なる有利な実施形態において異なる装置を実施するのに使用され得るデータ処理システムの例である。たとえば、データ処理システム５００は、図３のコンピュータ・システム３３６の任意の数のコンピュータ３３８のうちの１つもしくは複数、および／または図４のコンピュータ・システム４０４を実行するのに使用され得る。
【００８１】
この説明の例では、データ処理システム５００は、通信ファブリック５０２を含み、これは、プロセッサ・ユニット５０４と、メモリ５０６と、パーシステント・ストレージ５０８と、通信ユニット５１０と、入力／出力（Ｉ／Ｏ）ユニット５１２と、ディスプレイ５１４との間の通信を行う。プロセッサ・ユニット５０４は、メモリ５０６にロードされ得るソフトウェアの命令を処理する。プロセッサ・ユニット５０４は、特定の実施に応じて、任意の数のプロセッサ、マルチプロセッサ・コア、またはある他のタイプのプロセッサであり得る。項目を参照して本明細書において使用されるように、数字は、１つまたは複数の項目を意味する。
【００８２】
さらに、プロセッサ・ユニット５０４は、メイン・プロセッサが単一のチップに二次プロセッサと共に存在する任意の数の異種のプロセッサ・システムを用いて実施され得る。他の説明の例のように、プロセッサ・ユニット５０４は、同じタイプのマルチ・プロセッサを含む対称マルチプロセッサ・システムであり得る。
【００８３】
メモリ５０６およびパーシステント・ストレージ５０８は、記憶装置５１６の例である。記憶装置は、たとえば、制限されることなく、一時的および／または永続的に、データ、機能的形態のプログラム・コード、および／または他の適切な情報などの情報を格納することができるハードウェアの任意の部分である。また、記憶装置５１６は、これらの例ではコンピュータ読み取り可能な記憶装置と呼ばれる場合がある。これらの例では、メモリ５０６は、たとえば、ランダム・アクセス・メモリまたは任意の他の適切な揮発性もしくは不揮発性記憶装置であり得る。パーシステント・ストレージ５０８は、特定の実施に応じて、さまざまな形態をとることができる。
【００８４】
たとえば、パーシステント・ストレージ５０８は、１つまたは複数の構成要素または装置を含むことができる。たとえば、パーシステント・ストレージ５０８は、ハード・ドライブ、フラッシュ・メモリ、書換え可能光ディスク、書換え可能磁気テープ、または上記のある組合せであり得る。また、パーシステント・ストレージ５０８によって使用される媒体は、取り外し可能であってもよい。たとえば、リムーバブル・ハード・ドライブは、パーシステント・ストレージ５０８に使用され得る。
【００８５】
これらの例では、通信ユニット５１０は、他のデータ処理システムまたは装置との通信に備えている。これらの例では、通信ユニット５１０は、ネットワーク・インターフェイス・カードである。通信ユニット５１０は、物理的および無線通信リンクのどちらかまたは両方の使用を通して通信を行うことができる。
【００８６】
入力／出力ユニット５１２は、データ処理システム５００に接続され得る他の装置によってデータの入力および出力を可能にする。たとえば、入力／出力ユニット５１２は、キーボード、マウス、および／またはある他の適切な入力装置を通して人の入力について接続を行うことができる。さらに、入力／出力ユニット５１２は、プリンタに出力を送信することができる。ディスプレイ５１４は、人に情報を表示する仕組みを提供する。
【００８７】
オペレーティング・システム、アプリケーション、および／またはプログラムの命令は、記憶装置５１６に配置されることができ、これは、通信ファブリック５０２を通してプロセッサ・ユニット５０４と通信している。これらの説明の例では、命令は、パーシステント・ストレージ５０８の機能的形態の中にある。これらの命令は、プロセッサ・ユニット５０４による実行のためにメモリ５０６にロードされ得る。異なる実施形態のプロセスは、コンピュータ実施される命令を用いてプロセッサ・ユニット５０４によって実行されることができ、これは、メモリ５０６などのメモリにロードされ得る。
【００８８】
これらの命令は、プログラム・コード、コンピュータ使用可能なプログラム・コード、またはプロセッサ・ユニット５０４のプロセッサによって読み取られ実行され得るコンピュータ読み取り可能なプログラム・コードと呼ばれる。異なる実施形態のプログラム・コードは、メモリ５０６またはパーシステント・ストレージ５０８などの、異なる物理的またはコンピュータ読み取り可能な記憶媒体に具体化され得る。
【００８９】
プログラム・コード５１８は、選択的に取り外し可能であるコンピュータ読み取り可能な媒体５２０の機能的形態に配置され、プロセッサ・ユニット５０４による実行のためにデータ処理システム５００にロードされまたは転送され得る。プログラム・コード５１８およびコンピュータ読み取り可能な媒体５２０は、これらの例では、コンピュータ・プログラム製品５２２を形成する。１つの例では、コンピュータ読み取り可能な媒体５２０は、コンピュータ読み取り可能な記憶媒体５２４またはコンピュータ読み取り可能な信号メディア５２６であり得る。
【００９０】
コンピュータ読み取り可能な記憶媒体５２４は、たとえば、ドライブまたは他の装置に挿入されまたは配置される光ディスクまたは磁気ディスクを含むことができ、このドライブまたは他の装置は、ハード・ドライブなどの、パーシステント・ストレージ５０８の一部である記憶装置に転送するためのパーシステント・ストレージ５０８の一部である。また、コンピュータ読み取り可能な記憶媒体５２４は、ハード・ドライブ、サム・ドライブ、またはフラッシュ・メモリなどの、データ処理システム５００に接続されるパーシステント・ストレージの形をとることができる。
【００９１】
ある例では、コンピュータ読み取り可能な記憶媒体５２４は、データ処理システム５００から取り外し可能でない場合がある。これらの例では、コンピュータ読み取り可能な記憶媒体５２４は、プログラム・コード５１８を伝達しまたは伝送する媒体ではなく、プログラム・コード５１８を格納するのに使用される物理的または実体的記憶装置である。
【００９２】
また、コンピュータ読み取り可能な記憶媒体５２４は、コンピュータ読み取り可能な実体的記憶装置、またはコンピュータ読み取り可能な物理的記憶装置と呼ばれる。換言すれば、コンピュータ読み取り可能な記憶媒体５２４は、人によって触れられ得る媒体である。
【００９３】
あるいは、プログラム・コード５１８は、コンピュータ読み取り可能な信号メディア５２６を用いてデータ処理システム５００に転送され得る。コンピュータ読み取り可能な信号メディア５２６は、たとえば、伝播データ信号含有プログラム・コード５１８であり得る。たとえば、コンピュータ読み取り可能な信号メディア５２６は、電磁気信号、光信号、および／または任意の他の適切なタイプの信号であり得る。これらの信号は、無線通信リンク、光ファイバー・ケーブル、同軸ケーブル、ワイヤ、および／または任意の他の適切なタイプの通信リンクなどの、通信リンクを通して伝送され得る。換言すれば、通信リンクおよび／または接続は、説明の例の場合は物理的または無線であり得る。
【００９４】
ある有利な実施形態では、プログラム・コード５１８は、データ処理システム５００内での使用のためにコンピュータ読み取り可能な信号メディア５２６を通して他の装置またはデータ処理システムからパーシステント・ストレージ５０８にネットワークを通してダウンロードされ得る。たとえば、サーバー・データ処理システムのコンピュータ読み取り可能な記憶媒体に格納されるプログラム・コードは、サーバーからデータ処理システム５００にネットワークを通してダウンロードされ得る。プログラム・コード５１８を与えるデータ処理システムは、サーバー・コンピュータ、クライアント・コンピュータ、またはプログラム・コード５１８を格納し伝送することができるある他の装置であり得る。
【００９５】
データ処理システム５００に対して説明される異なる構成要素は、異なる実施形態が実施され得る方法に対して構造的な制限を与えることが意図されるものではない。異なる有利な実施形態は、データ処理システム５００に対して説明される構成要素に加えてまたはそれの代わりに構成要素を含むデータ処理システムで実施され得る。図５に示される他の構成要素は、示された説明の例から変更することができる。
【００９６】
たとえば、異なる実施形態が、プログラム・コードを実行することができる任意のハードウェア装置またはシステムを用いて実施され得る。１つの例として、データ処理システムは、無機成分と一体化した有機成分を含むことができ、かつ／または人間を除く有機成分から完全に成ることができる。たとえば、記憶装置は、有機半導体から成ることができる。
【００９７】
他の説明の例では、プロセッサ・ユニット５０４は、特定の使用のために製造されまたは構成される回路を有するハードウェア・ユニットの形をとることができる。このタイプのハードウェアは、操作を実施するように構成されるべき記憶装置からメモリにロードされるべきプログラム・コードを必要とすることなく操作を実行することができる。
【００９８】
たとえば、プロセッサ・ユニット５０４がハードウェア・ユニットの形をとる場合には、プロセッサ・ユニット５０４は、回路システム、特定用途向け集積回路（ＡＳＩＣ）、プログラマブル・ロジック・デバイス、または任意の数の操作を実施するように構成されるある他の適切なタイプのハードウェアであり得る。
【００９９】
プログラマブル・ロジック・デバイスの場合、デバイスは、任意の数の操作を実施するように構成される。デバイスは、後で再構成されることができ、または任意の数の操作を実施するように恒久的に構成され得る。プログラマブル・ロジック・デバイスの例には、たとえば、プログラマブル・ロジック・アレイ、プログラマブル・アレイ・ロジック、フィールド・プログラマブル・ロジック・アレイ、フィールド・プログラマブル・ゲート・アレイ、および他の適切なハードウェア装置がある。このタイプの実施の場合、プログラム・コード５１８は、異なる実施形態のプロセスがハードウェア・ユニットで実行されるので省略され得る。
【０１００】
さらに他の説明の例では、プロセッサ・ユニット５０４は、コンピュータおよびハードウェア・ユニットに見い出されるプロセッサの組合せを用いて実施され得る。プロセッサ・ユニット５０４は、プログラム・コード５１８を実行するように構成される任意の数のハードウェア・ユニットおよび任意の数のプロセッサを有することができる。この示された例の場合、プロセスのうちのいくつかが、任意の数のハードウェア・ユニットで実行されることができるが、他のプロセスは、任意の数のプロセッサで実行され得る。
【０１０１】
他の例では、バス・システムが、通信ファブリック５０２を実施するのに使用されることができ、システム・バスまたは入力／出力バスなどの１つまたは複数のバスから成ることができる。もちろん、バス・システムは、異なる構成要素の間のデータの転送に備える任意の適切なタイプの構造、またはバス・システムに取り付けられる装置を用いて実行され得る。
【０１０２】
そのうえ、通信ユニットは、データを伝送し、データを受信し、またはデータを伝送し受信するいくつかのより多くのデバイスを含むことができる。通信ユニットは、たとえば、モデムもしくはネットワーク・アダプタ、２つのネットワーク・アダプタ、またはそれらのある組合せであり得る。さらに、メモリは、たとえば、インターフェイス、および通信ファブリック５０２に存在し得るメモリ・コントローラ・ハブに見い出されるような、メモリ５０６、またはキャッシュであり得る。
【０１０３】
次に図６を参照して、プロファイルの説明が、有利な実施形態に従って示されている。この説明の例では、プロファイル６００は、図４のプロファイル・データベース４３４の任意の数のプロファイル４３６のプロファイルについての１つの実施の例である。この説明の例では、プロファイル６００には、識別名６０２、名前６０４、クリアランス・レベル６０６、業務６０８、専門６１０、場所６１２、および他の適切な情報がある。識別名６０２は、特定の人を一意に識別するのに使用され得る。名前６０４は、これらの例では人の名前である。
【０１０４】
クリアランス・レベル６０６は、人のクリアランス・レベルである。このクリアランス・レベルは、組織の内部にある、かつ／または政府規定を通してのセキュリティと関係があり得る。たとえば、クリアランス・レベルは、機密であり、かつ機密でない場合がある。他の例では、２つより多いクリアランス・レベルが、存在し、数字、文字、またはある他の標示によって識別され得る。他の例では、多数のクリアランス・レベルが、特定の組織内の異なるタイプの情報について設定され得る。
【０１０５】
業務６０８は、人によって行われる業務を識別する。この業務は、人が見ることができる情報のタイプを識別するのに使用され得る。また、専門６１０は、人の技術背景の識別を可能にし、人の専門技術のレベルを含むことができる。
【０１０６】
場所６１２は、輸出管理情報が特定の表示装置の場所において表示装置に表示され得るかどうかを決定するのに使用され得る。たとえば、画像および情報のうちの少なくとも１つが輸出管理されている場合には、場所６１２は、画像の部分が徹底的にフィルタリングされるべきか、情報のうちのいくつかが伝送されるべきでないか、または他のフィルタリングが輸出管理法によるコンプライアンスを維持するように発生するべきかどうかを決定するのに使用され得る。
【０１０７】
次に図７を参照して、ポリシーの説明が、有利な実施形態に従って示されている。この説明の例では、ポリシー７００は、図４のポリシー４５０の１つの実施の例である。
【０１０８】
この説明の例では、ポリシー７００は、任意の数の規則７０２およびデータ７０４を含む。ポリシー７００の任意の数の規則７０２は、図６のプロファイル６００などの、プロファイルに適用され得る。このようにして、プロファイルと関連する特定の人についての選択された情報が識別され得る。データ７０４は、任意の数の規則７０２をプロファイルに適用する際に使用される値または他の情報を含むことができる。
【０１０９】
示されるように、任意の数の規則７０２は、任意の数の異なるタイプの規則を含むことができる。たとえば、任意の数の規則７０２は、制限されることなく、セキュリティ規則７０６、業務規則７０８、専門規則７１０、および／または他の適切なタイプの規則のうちの少なくとも１つを含むことができる。
【０１１０】
セキュリティ規則７０６は、一定のクリアランスまたはセキュリティ・レベルが画像に追加され得る情報の一定の情報を見るのに必要とされるということを示すことができる。セキュリティ規則７０６は、画像の部分がセキュリティ・レベルを必要とする場合があるということを示すことができる。
【０１１１】
そのうえ、セキュリティ規則７０６はまた、輸出管理情報が存在するかどうかを決定し、かつ特定のビュワーが異なる場所において情報を見ることができるかどうかを決定するように注視することができる。さらに、セキュリティ規則７０６はまた、機密情報が存在するかどうか、および表示装置のところの人が機密情報を見るように認可されているかどうかを決定する規則を含むことができる。
【０１１２】
業務規則７０８は、特定の人に関連性のある情報を識別するのに使用され得る。たとえば、情報を見る人が電気技術者および材料専門家を含む場合、これらの２人の人々に表示される情報は異なる場合がある。たとえば、配線略図は材料専門家には表示され得ないが、パネルの複合材料についての情報は、電気技術者には表示され得ない。情報は、電気システムの配線略図、およびパネルの複合材料についての情報を含むことができる。専門規則７１０は、彼らの経験、教養、および／または他の適切な要因に基づいて特定の人に関連性のある情報を識別するのに使用され得る。
【０１１３】
図６のプロファイル６００および図７のポリシー７００の説明は、異なるプロファイルおよびポリシーが実施され得る方法に対して制限を暗示することが意図されるものではない。他の説明の例では、ポリシーは、プロファイル６００で説明される情報の代わりにまたはそれに加えて他の情報を含むことができる。他のポリシーは、任意の数の規則７０２について説明されるものより他の規則を含むことができる。
【０１１４】
次に図８を参照して、オブジェクト情報環境の説明が、有利な実施形態に従って示されている。この説明の例では、オブジェクト情報環境８００は、図３のオブジェクト情報環境３００の１つの実施の例である。
【０１１５】
この説明の例では、オブジェクト情報環境８００は、ヘッドマウント・システム８０４、コンピュータ・システム８０８の情報モジュール８０６、表示装置８１０、表示装置８１２、表示装置８１４、および表示装置８１６を含む。表示装置８１０および表示装置８１２は、場所８２２にあるが、表示装置８１４および表示装置８１６は、場所８２４にある。場所８２２および場所８２４は、互いに遠く離れ、ヘッドマウント・システム８０４を装着する人８２０の場所に対して遠く離れている場合がある。人８２０は、航空機８０２の場所のところであり得る。
【０１１６】
人８２３は、場所８２２の表示装置８１０および表示装置８１２を見ている。人８２５は、場所８２４の表示装置８１４および表示装置８１６を見ている。人８２５は、人８２３および人８２０よりも高いクリアランス・レベルを有することができる。さらに、人８２５は、人８２３および人８２０よりも専門的技術の高いレベルを有することができる。そのうえ、人８２３は、人８２０よりも高いクリアランス・レベルおよび専門的技術のレベルを有することができる。たとえば、人８２０は、技術者である場合があり、人８２３は、上級技術者である場合があり、人８２５は、人８２３および人８２０の上司である場合がある。
【０１１７】
示されるように、ヘッドマウント・システム８０４は、眼鏡８２６の形をとる。眼鏡８２６は、人８２０の視点から航空機８０２のビデオ・データを生成するように構成されるカメラ・システムを含む。さらに、眼鏡８２６は、人８２０が眼鏡８２６を通した航空機８０２のライブ物理ビューに加えて航空機８０２についての拡張情報を見ることができる、表示装置を含む。示されるように、人８２０の視点からの航空機８０２の画像８２１は、眼鏡８２６を通して人８２３に表示される。
【０１１８】
眼鏡８２６によって生成されるビデオ・データは、無線通信リンクを用いて情報モジュール８０６に送信される。また、情報モジュール８０６は、表示装置８１０、表示装置８１２、表示装置８１４、および表示装置８１６と無線で通信するように構成される。このようにして、眼鏡８２６と、表示装置８１０と、表示装置８１２と、表示装置８１４と、表示装置８１６との間の通信が、情報モジュール８０６を通して行われ得る。
【０１１９】
情報モジュール８０６は、連続的なビデオ・ストリームとしてまたは周期的に眼鏡８２６からビデオ・データを受信することができる。この説明の例では、情報モジュール８０６は、ビデオ・データを処理する。たとえば、情報モジュール８０６は、航空機８０２のタイプおよび／またはモデルを識別する。また、情報モジュール８０６は、人８２０のプロファイルを識別する。さらに、情報モジュール８０６は、場所８２２の人８２３のプロファイル、および場所８２４の人８２５のプロファイルを識別する。
【０１２０】
情報モジュール８０６は、表示装置８１０に人８２０の視点からの航空機８０２の画像８２１を表示する。このようにして、人８２３は、人８２０が見るものを見ることができる。さらに、人８２３のプロファイルならびに航空機８０２のタイプおよび／またはモデルに基づいて、情報モジュール８０６は、表示装置８１２に航空機８０２の概略図８３４を表示する。人８２３は、航空機８０２の領域８３６を識別するように、表示装置８１０に表示される画像８２１と、表示装置８１２に表示される概略図８３４とを用いる。領域８３６は、不整合が識別されている領域であり得る。
【０１２１】
この説明の例では、人８２３は、概略図８３４および画像８２１上の領域８３６を選択するユーザ入力に入る。情報モジュール８０６は、このユーザ入力を受信し、人８２０によって見られる画像８２１にグラフィカル・インジケータ８４０を表示する。さらに、人８２３はまた、音声命令の形のユーザ入力に入ることができる。たとえば、人８２３は、領域８３６で探すべきもの、および／または領域８３６について任意の数の操作を行う方法を人８２０に命令することができる。
【０１２２】
ある場合には、人８２０は、画像８２１から概略図８３４に眼鏡８２６を通してビューを切り替えることができる。さらに、人８２０は、同時に概略図８３４も画像８２１も見るように眼鏡を使用することができる。
【０１２３】
この説明の例では、人８２３は、人８２０よりも高いクリアランス・レベルを有する。人８２３は、航空機８０２の領域８４２を見るためのクリアランスを有するが、人８２０は、領域８４２を見るためのクリアランスを有さない。概略図８３４が眼鏡８２６を通して人８２０に表示される場合には、領域８４２および／または領域８４２についての情報は、人８２０に表示されない。
【０１２４】
そのうえ、情報モジュール８０６はまた、人８２５が見るように表示装置８１４に画像８２１と、表示装置８１６に概略図８３４とを表示することができる。人８２５は、示された例では、人８２３よりも高いクリアランス・レベルを有する。人８２５のクリアランスのレベルに基づいて、情報モジュール８０６は、人８２３用の表示装置８１２の概略図８３４よりも人８２５用の表示装置８１６の概略図８３４によって領域８４２についてより多くの情報を表示する。このようにして、情報モジュール８０６は、人がその人によって見られている表示装置上のクリアランスを有する情報を表示するだけである。
【０１２５】
この説明の例では、人８２５は、実時間で人８２０によって領域８３６に行われている任意の数の操作、および人８２３によって与えられている命令の進行を監視することができる。さらに、人８２５は、表示装置８１４の画像８２１および表示装置８１６の概略図８３４に基づき、人８２３および／または人８２０にさらなる命令および／または情報を与えることができる。
【０１２６】
図８のオブジェクト情報環境８００の説明は、異なる有利な実施形態が実施され得る方法に対して物理的または構造的な制限を暗示することが意図されるものではない。たとえば、ある場合には、人８２３および／または人８２５によって見られる表示装置は、ヘッドマウント・システム８０４に類似した、ヘッドマウント・システムの部分であり得る。
【０１２７】
次に図９を参照して、情報を表示するためのプロセスのフローチャートが、有利な実施形態に従って示されている。図９に説明されるプロセスは、図３のオブジェクト情報環境３００などの、オブジェクト情報環境で実行され得る。
【０１２８】
プロセスは、オブジェクトの場所においてカメラ・システムの視点からオブジェクトのビデオ・データを生成することによって開始する（操作９００）。
【０１２９】
オブジェクトについての情報が、ビデオ・データを用いて識別される（操作９０２）。次いで、プロセスは、任意の数の場所において表示システムにビデオ・データの画像による情報を表示する（操作９０４）。任意の数の場所における画像による情報を有する画像の表示は、これらの例ではカメラの視点からである。次いで、プロセスは、任意の数の場所において任意の数の人からオブジェクトについて入力を受信し（操作９０６）、プロセスは、その後に終了する。
【０１３０】
次に図１０を参照して、オブジェクトについて情報を識別するためのプロセスのフローチャートが、有利な実施形態に従って示されている。図１０に説明されるプロセスは、図３の情報モジュール３２６などの構成要素で実行され得る。このプロセスは、ハードウェア、ソフトウェア、またはこの２つの組合せで実行され得る。
【０１３１】
プロセスは、ヘッドマウント・システムからビデオ・データを受信することによって開始する（操作１０００）。ビデオ・データは、航空機などの、オブジェクトについての画像のビデオ・ストリームである。次いで、プロセスは、ビデオ・データを用いてオブジェクトを識別する（操作１００２）。たとえば、操作１００２では、プロセスは、オブジェクトを識別するようにパターン認識ソフトウェアを使用することができる。ある場合には、プロセスは、オブジェクトを識別するようにユーザ入力を用いることができる。
【０１３２】
次に、プロセスは、オブジェクトについて任意の数の操作を識別する（操作１００４）。操作１００４では、任意の数の操作は、オブジェクトに実施されている操作、および／または実施されるべきである操作を含むことができる。これらの操作は、たとえば、制限されることなく、保守、点検、再加工、インベントリ、および／または他の適切なタイプの操作を含むことができる。
【０１３３】
次いで、プロセスは、任意の数の操作に基づいてオブジェクトについて情報を識別し（操作１００６）、プロセスは、その後に終了する。情報は、たとえば、オブジェクトの概略図、オブジェクトに使用される材料のリスト、オブジェクトの寸法、オブジェクトの部品の連絡番号、および／または他の適切なタイプの情報を含むことができる。操作１００６は、オブジェクトおよび／または他のオブジェクトについての情報を含むデータベースを用いて実行され得る。
【０１３４】
次に図１１を参照して、情報をビデオ・データの画像と関連させるためのプロセスのフローチャートが、有利な実施形態に従って示されている。図１１に説明されるプロセスは、図３の情報モジュール３２６で実行され得る。このプロセスは、ハードウェア、ソフトウェア、またはこの２つの組合せで実行され得る。
【０１３５】
プロセスは、オブジェクトの画像と関連するように情報を識別することによって開始する（操作１１００）。情報は、たとえば、図１０の操作１００６で識別された情報、または操作１００６で識別された情報のある部分であり得る。１つの説明の例として、オブジェクトが航空機のスキン・パネルである場合には、スキン・パネルの情報は、スキン・パネルの後ろに配置される配線システムの配線略図を含むことができる。
【０１３６】
次いで、プロセスは、情報を表すように任意の数のグラフィカル要素を識別する（操作１１０２）。たとえば、グラフィカル要素は、テキスト、グラフィカル・インジケータ、絵、ボタン、および／または表示装置に表示され得る他のタイプのグラフィカル要素であり得る。１つの説明の例として、配線システムのグラフィカル要素は、スキン・パネルの後ろに配置される配線システムの配線略図の絵であり得る。
【０１３７】
他の例では、グラフィカル要素は、選択される場合に配線略図を表示するウィンドーを開くグラフィカル・ボタンであり得る。さらに他の例では、任意の数のグラフィカル要素は、その後ろに配線システムが配置されるスキン・パネルに領域の輪郭を描くためのグラフィカル・インジケータ、および配線システムのテキスト記述を含むことができる。
【０１３８】
その後に、プロセスは、グラフィカル要素および／または情報を画像と関連させ（操作１１０４）、プロセスは、その後に終了する。操作１１０４は、たとえば、表示装置に画像のグラフィカル要素を表示することによって実行され得る。
【０１３９】
たとえば、配線システムまたはグラフィカル・ボタンの配線略図の絵は、スキン・パネルの画像を通して表示され得る。ある例では、操作１１０４は、画像による情報および／またはグラフィカル要素を表示するための命令を生成することによって実行され得る。
【０１４０】
この説明の例では、操作１１０４は、ディスプレイのために表示装置に送信されている画像より前に実行され得る。このようにして、画像は、この画像と関連するグラフィカル要素と一緒に、人によって見るために表示装置に送信され得る。他の説明の例では、操作１１０４は、画像が表示される表示装置によって実行され得る。
【０１４１】
たとえば、表示装置は、情報モジュールから画像および／またはグラフィカル要素を受信するように構成されるグラフィックス・アダプタを有することができる。グラフィックス・アダプタは、情報および／またはグラフィカル要素を画像と関連させる命令に基づいて、表示装置に表示される画像を通して情報および／またはグラフィカル要素を表示するように構成され得る。
【０１４２】
次に図１２を参照して、情報を表示するためのプロセスのフローチャートが、有利な実施形態に従って示されている。図１２に説明されるプロセスは、図３の情報モジュール３２６で実行され得る。このプロセスは、ハードウェア、ソフトウェア、またはこの２つの組合せで実行され得る。
【０１４３】
プロセスは、第１のウィンドーにヘッドマウント・システムのカメラ・システムによって生成される画像を表示することによって開始する（操作１２００）。第１のウィンドーは、表示装置に表示されるウィンドーである。画像は、オブジェクトの小さな部分であり得る。たとえば、画像は、ヘッドマウント・システムを装着する人の視点からの航空機のドアの画像であり得る。
【０１４４】
次いで、プロセスは、画像のオブジェクトを識別する（操作１２０２）。その後に、プロセスは、オブジェクトのより大きな部分を識別する（操作１２０４）。オブジェクトのより大きな部分は、オブジェクト全体、または画像の中にあるオブジェクトの小さな部分を含むオブジェクトのある部分を含むことができる。
【０１４５】
その後に、プロセスは、第２のウィンドーにオブジェクトのより大きな部分を表示する（操作１２０６）。第２のウィンドーは、第１のウィンドーと同じ表示装置、または異なる表示装置に表示され得る。
【０１４６】
次に、プロセスは、第２のウィンドーにオブジェクトのより大きな部分のグラフィカル・インジケータを表示し（操作１２０８）、プロセスは、その後に終了する。グラフィカル・インジケータは、表示されるオブジェクトのより大きな部分内にオブジェクトの小さな部分の場所を表示する。グラフィカル・インジケータは、たとえば、第２のウィンドーに表示されるオブジェクトのより大きな部分内の小さな部分の輪郭であり得る。
【０１４７】
次に図１３を参照して、画像による情報を表示するためのプロセスのフローチャートが、有利な実施形態に従って示されている。このプロセスは、各人に表示されるべき情報を識別することを含む。各人に選択される情報は、人のプロファイルおよびポリシーに基づいて識別され得る。また、このプロセスは、図３の情報モジュール３２６で実行され得る。このプロセスは、ハードウェア、ソフトウェア、またはこの２つの組合せで実行され得る。
【０１４８】
プロセスは、任意の数の人を識別することによって開始する（操作１３００）。その後に、プロセスは、処理のために任意の数の人から１人を選択する（操作１３０２）。プロファイルは、選択された人について識別される（操作１３０４）。次いで、プロセスは、使用のためのポリシーを識別する（操作１３０６）。
【０１４９】
次いで、プロファイルおよびポリシーを用いて情報から選択された情報を識別する（操作１３０８）。たとえば、ポリシーは、選択された情報を識別するためにフィルタを形成するようにプロファイルに適用され得る。操作１３０８の情報は、たとえば、図１０の操作１００６で識別された情報であり得る。ある場合には、ポリシーは、識別された選択された情報が暗号化されるべきであるということを示すことができる。このようにして、操作１３０８は、暗号化された情報を形成するように選択された情報を暗号化することを含み得る。
【０１５０】
次いで、プロセスは、プロファイルおよびポリシーを用いて人に表示されるべき画像の部分を識別する（操作１３１０）。ある場合には、ポリシーは、識別された画像の部分が暗号化されるべきであるということを示すことができる。このようにして、操作１３１０は、暗号化された情報を形成するように表示されるべき画像の部分を暗号化することを含み得る。
【０１５１】
次いで、プロセスは、選択された情報および識別された画像の部分を表示装置に送信する（操作１３１２）。その後に、任意の数の人の中に処理されていない他の人が存在するかどうかについて、決定が行われる（操作１３１４）。他の人が存在する場合には、プロセスは操作１３０２に戻る。さもなければ、プロセスは終了する。
【０１５２】
次に図１４を参照して、表示装置に情報を送信するためのプロセスのフローチャートが、有利な実施形態に従って示されている。この図に説明されるプロセスは、図３の情報モジュール３２６で実行され得る。このプロセスは、ハードウェア、ソフトウェア、またはこの２つの組合せで実行され得る。さらに、このプロセスは、図１３の操作１３１２の１つの実施の例である。特に、このプロセスは、選択された情報が暗号化された情報を形成するように暗号化される場合、および画像の部分が暗号化された画像を形成するように暗号化される場合に実行され得る。
【０１５３】
プロセスは、人のプロファイルを用いて人の一組のキーを生成することによって開始する（操作１４００）。次いで、プロセスは、処理された情報を形成するように一組のキーを用いで暗号化された情報を処理する（操作１４０２）。この処理は、一組のキーを用いて復号化され得る任意の情報を復号化すること、および暗号化された一組のキーを用いて復号化され得ない任意の情報を放置することを含むことができる。ある説明の例では、一組のキーは、キーの空集合であることができ、いかなる情報も復号化されない。
【０１５４】
その後に、プロセスは、表示装置に処理された情報を送信し（操作１４０４）、プロセスは、その後に終了する。操作１４０４では、暗号化される情報だけが、表示装置に表示される。
【０１５５】
次に図１５を参照して、表示装置にディスプレイのための画像をフィルタリングするためのプロセスのフローチャートが、有利な実施形態に従って示されている。この図に説明されるプロセスは、図３の情報モジュール３２６で実行され得る。より詳細には、このプロセスは、図４の情報モジュール４０２のフィルタリング・プロセス４５２を用いて実行され得る。このプロセスは、ハードウェア、ソフトウェア、またはこの２つの組合せで実行され得る。さらに、このプロセスは、図１３の操作１３１０の１つの実施の例である。
【０１５６】
プロセスは、画像の対象となる任意の数の部分を識別することによって開始する（操作１５００）。たとえば、対象となる任意の数の部分は、オブジェクトから成る画像の部分、または任意の数の操作が実行されているオブジェクトの部分のみを含むことができる。
【０１５７】
たとえば、保守作業は、航空機の翼について実施され得る。翼の画像は、地上設備、航空機の胴体の部分、要員、および／または翼の保守を行うことに関連性のない他のオブジェクトを含むことができる。プロセスは、保守作業に関連性のある画像の部分に基づいて、画像の対象となる任意の数の部分を識別する。
【０１５８】
次いで、プロセスは、画像の対象となる任意の数の部分だけがディスプレイに選択されるように画像をフィルタリングし（操作１５０２）、プロセスは、その後に終了する。
【０１５９】
異なる示されている実施形態のフローチャートおよびブロック線図が、構造、機能性、および異なる有利な実施形態の装置および方法についてのいくつかの可能な実施の操作を説明している。この点については、フローチャートおよびブロック線図の各ブロックは、モジュール、セグメント、機能、および／または操作もしくはステップの部分を表すことができる。たとえば、ブロックのうちの１つまたは複数は、ハードウェアで、プログラム・コード、またはプログラム・コードおよびハードウェアの組合せとして実行され得る。ハードウェアで実行される場合、ハードウェアは、たとえば、フローチャートおよびブロック線図において１つまたは複数の操作を実行するように製造されまたは構成される集積回路の形をとることができる。
【０１６０】
ある他の実施では、ブロックに留意される機能または複数の機能は、図に留意される順序の中から生じることができる。たとえば、ある場合には、連続して示される２つのブロックは、実質的に同時に実行されることができ、または、ブロックは、必要とされる機能性に応じて、時には逆の順序で実行される場合がある。また、他のブロックが、フローチャートまたはブロック線図で説明されたブロックに加えて追加され得る。
【０１６１】
したがって、異なる有利な実施形態は、オブジェクトについて情報を得るための方法および装置を提供する。これらの説明の例では、異なる有利な実施形態は、特に、航空機について情報を得るのに、かつ、より詳細には航空機の保守作業を実施する情報を得るのに有用であり得る。
【０１６２】
１つの有利な実施形態では、カメラ・システムが、オブジェクトの場所においてカメラ・システムの視点からオブジェクトのビデオ・データを生成する。オブジェクトについての情報が識別される。この情報は、任意の数の場所において表示システムにビデオ・データの画像で表示される。任意の数の場所における画像による情報を有する画像の表示は、カメラ・システムの視点からである。
【０１６３】
異なる有利な実施形態の１つまたは複数を使って、調整可能な拡張および／または没入能力が提供され得る。換言すれば、図３の拡張現実感情報システム３１６などの装置は、異なるレベルの拡張を使用するように表示されるイメージを適応的に調整することができる。たとえば、ディスプレイは、オブジェクトについて直接の、拡張されていない独占的実世界ビューから、部分的没入かつ部分的拡張ディスプレイに、および完全没入かつ完全拡張仮想現実感ディスプレイに変化されまたは調整され得る。完全没入かつ完全仮想現実感ディスプレイは、目視されるオブジェクトが実世界ビデオ・イメージなしに操作の完全仮想現実感モードにおいて独占的に見られるディスプレイである。情報が画像のすべてを圧倒し、または画像はもはや使用されない。もちろん、適応が、必要または状況に応じて、オブジェクトの画像の任意のレベルの拡張を通して進むことができる。
【０１６４】
この適応調整は、任意の数の異なる方法で行われ得る。たとえば、調整は、人、コンピュータ・システム、情報モジュールおよび他の適切な構成要素のうちの少なくとも１つの指示で行われ得る。
【０１６５】
このようにして、たとえば、オブジェクトは、問題がオブジェクトの実世界視覚表示という面で議論され得るように、実世界で見られるように目視され得る。目視されるオブジェクトのより多くの情報が必要とされるにつれて、拡張現実感情報システム３１６は、徐々により多くの詳細を追加することができる。この詳細は、画像に表示される情報の拡張された詳細になっていることができる。そうすることで、さらなる例として、オブジェクトの層が、サブ構成要素および／または構造を明らかにするように事実上取り除かれ得る。
【０１６６】
さらに、実世界画像は、位置的にインコンテキストの、詳細であるが完全な仮想拡張データと部分的にかつ／または完全に取り替えられ得る。このデータは、たとえば、配線概略図、静的および動的応力／歪みデータ、配管工事概略図、品質保証および点検情報、製造および組立手順、保守および修理部品データ、チェックリストおよび手順、ならびに他の適切なデータのうちの少なくとも１つを含むことができる。
【０１６７】
したがって、異なる有利な実施形態は、オブジェクトのすべてまたは部分を見る人と人とのコラボレーションを可能にし、オブジェクトの多くのさまざまな学際的な工学的側面を理解する。結果として、異なる有利な実施形態は、たとえば、制限されることなく、保守、試験、またはオブジェクトの設計などの、作業を行うのに必要とされる時間および労力を低減することができる。
【０１６８】
異なる有利な実施形態の記述は、説明および記述の目的のために与えられており、開示された形態の実施形態に網羅的でありまたは限定されることが意図されるものではない。多くの改変および変形が、当業者には明らかであろう。さらに、異なる有利な実施形態は、他の有利な実施形態に比べて異なる利点を提供することができる。選択された実施形態または複数の実施形態は、実施形態の原理、実際の用途を最もよく説明し、かつ当業者以外の人が、考えられる特定の使用に適するようにさまざまな改変を有するさまざまな実施形態の開示を理解できるようにするために、選択され記述されている。
【図１】
2014505627.tif 000003
【図２】
2014505627.tif 000004
【図３】
2014505627.tif 000005
【図４】
2014505627.tif 000006
【図５】
2014505627.tif 000007
【図６】
2014505627.tif 000008
【図７】
2014505627.tif 000009
【図８】
2014505627.tif 000010
【図９】
2014505627.tif 000011
【図１０】
2014505627.tif 000012
【図１１】
2014505627.tif 000013
【図１２】
2014505627.tif 000014
【図１３】
2014505627.tif 000015
【図１４】
2014505627.tif 000016
【図１５】
2014505627.tif 000017
【国際調査報告】
2014505627.tif 000018
2014505627.tif 000019